(57)【要約】      （修正有）【課題】デザイン性を向上しつつ、基板カバーの取り付けを容易にする衛生洗浄装置を提供する。【解決手段】実施形態に係る衛生洗浄装置は、便器本体に取り付けられるケースプレートと、ケースプレートに直交するようにケースプレートに取り付けられる基板ケース３０と、基板ケースに取り付けられる回路基板３１と、回路基板に電気的に接続されるハーネスが配置され、ケースプレートに取り付けられるケースカバーと、ハーネスが回路基板に電気的に接続された状態で、回路基板に直交する方向に対して交差する取付方向に沿って基板ケースに取り付けられる基板カバー３２と、を備え、基板カバーには、取付方向の先端側に開口部が形成され、基板ケースは、開口部に向けて突出する側壁部３５、３７を備え、基板カバー３２、基板ケース３０、および回路基板３１は、閉空間を形成する。【選択図】図４
2020033849.tif 000002
【特許請求の範囲】
【請求項１】
便器本体に取り付けられるケースプレートと、
前記ケースプレートに直交するように前記ケースプレートに取り付けられる基板ケースと、
前記基板ケースに取り付けられる回路基板と、
前記回路基板に電気的に接続されるハーネスが配置され、前記ケースプレートに取り付けられるケースカバーと、
前記ハーネスが前記回路基板に電気的に接続された状態で、前記回路基板に直交する方向に対して交差する取付方向に沿って前記基板ケースに取り付けられる基板カバーと、
を備え、
前記基板カバーには、
前記取付方向の先端側に開口部
が形成され、
前記基板ケースは、
前記開口部に向けて突出する壁部
を備え、
前記基板カバー、前記基板ケース、および前記回路基板は、
閉空間を形成する
ことを特徴とする衛生洗浄装置。
【請求項２】
前記基板ケースは、
前記壁部に対向し、前記壁部よりも高さが低い対向壁部
を備えることを特徴とする請求項１に記載の衛生洗浄装置。
【請求項３】
前記壁部の高さは、
前記回路基板の電子部品の高さよりも高い
ことを特徴とする請求項１または２に記載の衛生洗浄装置。
【請求項４】
前記基板カバーは、
前記基板ケースよりも下方に突出する突出部
を備えることを特徴とする請求項１〜３のいずれか一つに記載の衛生洗浄装置。
【請求項５】
前記基板カバーは、
前記基板カバーに付着した液体を前記突出部まで導く樋部
を備えることを特徴とする請求項４に記載の衛生洗浄装置。
【請求項６】
前記基板カバーは、
上方側の上壁部に形成され、前記回路基板側の端から下方に向けて傾斜する傾斜部
を備えることを特徴とする請求項１〜５のいずれか一つに記載の衛生洗浄装置。
【請求項７】
前記傾斜部は、
便座、便蓋の少なくとも一方と共に回動する回動支持部の下方に形成される
ことを特徴とする請求項６に記載の衛生洗浄装置。
【発明の詳細な説明】
【技術分野】
【０００１】
開示の実施形態は、衛生洗浄装置に関する。
【背景技術】
【０００２】
従来、回路基板等の発火を防止する衛生洗浄装置が知られている（例えば、特許文献１参照）。
【先行技術文献】
【特許文献】
【０００３】
【特許文献１】特開平８−２７８６２号公報
【発明の概要】
【発明が解決しようとする課題】
【０００４】
衛生洗浄装置では、回路基板が発火した場合でも、延焼を防止するために、ケースプレートに取り付けられた基板ケースに、延焼防止用の基板カバーが取り付けられることが知られている。
【０００５】
このような衛生洗浄装置では、ケースカバーに配置されたハーネスを回路基板に電気的に接続した後に、基板カバーが回路基板に垂直な方向から基板ケースに取り付けられる。
【０００６】
ところで、衛生洗浄装置は、デザイン性の観点から基板カバーの前方に、脱臭ユニットなどを配置し、ケースカバーの高さを低くすることが望まれている。
【０００７】
しかしながら、回路基板の前方に、例えば、脱臭ユニットが配置されると、基板カバーを回路基板に垂直な方向から基板ケースに取り付ける場合に、脱臭ユニットが邪魔になり、基板カバーを基板ケースに取り付けることが困難になる。
【０００８】
実施形態の一態様は、デザイン性を向上すると共に、基板カバーの取り付けを容易にする衛生洗浄装置を提供することを目的とする。
【課題を解決するための手段】
【０００９】
実施形態の一態様に係る衛生洗浄装置は、便器本体に取り付けられるケースプレートと、前記ケースプレートに直交するように前記ケースプレートに取り付けられる基板ケースと、前記基板ケースに取り付けられる回路基板と、前記回路基板に電気的に接続されるハーネスが配置され、前記ケースプレートに取り付けられるケースカバーと、前記ハーネスが前記回路基板に電気的に接続された状態で、前記回路基板に直交する方向に対して交差する取付方向に沿って前記基板ケースに取り付けられる基板カバーと、を備え、前記基板カバーには、前記取付方向の先端側に開口部が形成され、前記基板ケースは、前記開口部に向けて突出する側壁部を備え、前記基板カバー、前記基板ケース、および前記回路基板は、閉空間を形成することを特徴とする。
【００１０】
取付方向の先端側の基板カバーに開口部が形成されることで、回路基板に直交する方向に対して交差する取付方向に沿って基板カバーを挿入して、基板カバーを基板ケースに取り付けることができる。そのため、例えば、回路基板の前方に脱臭ユニットが設けられている場合であっても、基板カバーを基板ケースに容易に取り付けることができる。従って、例えば、回路基板と脱臭ユニットとを前後方向に並べて配置することができ、衛生洗浄装置の上下方向における高さを低くすることができ、デザイン性を向上させることができる。また、開口部に向けて突出する側壁部が基板ケースに形成され、基板カバー、基板ケース、および回路基板によって閉空間が形成されることで、回路基板が発火した場合に、回路基板の延焼を防止することができる。すなわち、延焼防止機能を保持しつつ、デザイン性を向上し、かつ基板カバーの取り付けを容易にすることができる。
【００１１】
また、前記基板ケースは、前記壁部に対向し、前記壁部よりも高さが低い対向壁部を備えることを特徴とする。
【００１２】
基板ケースの壁部に対向し、壁部よりも高さが低い対向壁部を備えることで、基板カバーを取付方向に沿って容易に取り付けることができる。
【００１３】
また、前記壁部の高さは、前記回路基板の電子部品の高さよりも高いことを特徴とする。
【００１４】
壁部の高さを回路基板の電子部品の高さよりも高くすることで、開口部と壁部との隙間を小さくすることができ、閉空間への空気の流入を抑制することができる。そのため、回路基板が発火した場合に、回路基板の延焼を防止することができる。
【００１５】
また、前記基板カバーは、前記基板ケースよりも下方に突出する突出部を備えることを特徴とする。
【００１６】
基板カバーに、基板ケースよりも下方に突出する突出部を設けることで、液体、例えば、水が基板カバーに付着した場合に、水を基板ケースよりも下方側に導き、閉空間に水が浸入することを抑制することができる。
【００１７】
また前記基板カバーは、前記基板カバーに付着した液体を前記突出部まで導く樋部を備えることを特徴とする。
【００１８】
基板カバーに樋部を設けることで、液体、例えば、水が基板カバーに付着した場合に、樋部を介して水を突出部から排出することができる。そのため、水が閉空間に浸入することを抑制することができる。
【００１９】
また、前記基板カバーは、上方側の上壁部に形成され、前記回路基板側の端から下方に向けて傾斜する傾斜部を備えることを特徴とする。
【００２０】
傾斜部を設けることで、液体、例えば、水が傾斜部に付着した場合に、水を傾斜部によって回路基板とは反対側に流すことができる。そのため、水が閉空間に浸入することを抑制することができる。
【００２１】
また、前記傾斜部は、便座、便蓋の少なくとも一方と共に回動する回動支持部の下方に形成されることを特徴とする。
【００２２】
傾斜部を回動支持部の下方に形成することで、回動支持部から浸入した液体、例えば、水を傾斜部によって回路基板とは反対側に流すことができる。そのため、水が閉空間に浸入することを抑制することができる。
【発明の効果】
【００２３】
実施形態の一態様によれば、デザイン性を向上すると共に、基板カバーの取り付けを容易にすることができる。
【図面の簡単な説明】
【００２４】
【図１】図１は、実施形態に係る衛生洗浄装置を備えるトイレ装置およびトイレルームを示す概略斜視図である。
【図２】図２は、衛生洗浄装置の本体部を前方から見た正面図である。
【図３】図３は、図２のIII−III断面図である。
【図４】図４は、コントロールユニットの斜視図である。
【図５】図５は、コントロールユニットの正面図である。
【図６】図６は、図５のVI−VI断面図である。
【発明を実施するための形態】
【００２５】
＜トイレ装置＞
まず、図１を参照して実施形態に係る衛生洗浄装置１０を備えるトイレ装置１について説明する。図１は、実施形態に係る衛生洗浄装置１０を備えるトイレ装置１およびトイレルーム１００を示す概略斜視図である。図１には、説明の便宜上、３次元の直交座標系を図示し、かかる直交座標系において、「前方」、「後方」、「左側方」、「右側方」、「上方」および「下方」を規定している。なお、座標系は、他の図においても図示している場合がある。
【００２６】
図１に示すように、トイレ装置１は、トイレルーム１００内に設置される。トイレ装置１は、便器本体２と、衛生洗浄装置１０とを備える。便器本体２は、例えば、陶器製である。便器本体２には、ボウル部２ａが形成される。ボウル部２ａは、下方に凹んだ形状であり、使用者の排泄物を受ける部位である。なお、便器本体２は、図示のような床置き式に限らず、壁掛け式でもよい。
【００２７】
衛生洗浄装置１０は、便器本体２の上面後部に取り付けられ、本体部１１と、便座１２と、便蓋１３とを備える。なお、衛生洗浄装置１０は、便器本体２と一体化するように取り付けられてもよいし、便器本体２に対して着脱可能に取り付けられてもよい。また、衛生洗浄装置１０は、トイレルーム１００の壁面に設置された操作部５１が使用者により操作されると、例えば、便蓋１３を開閉したり、使用者の局部を洗浄する洗浄水を吐出したりし、各種機能を動作させる。
【００２８】
なお、トイレ装置１は、例えば、便器本体２の後部に洗浄水を貯留する洗浄水タンクが設置されてもよいし、洗浄水タンクが設置されない、いわゆるタンクレス式でもよい。また、トイレ装置１は、例えば、サイホン作用を利用してボウル部２ａ内の汚物を引き込んでトラップ管路から排出する、いわゆるサイホン式でもよいし、例えば、ボウル部２ａ内の洗浄水の落差による流水作用で汚物を押し流す、いわゆる洗い落し式でもよい。
【００２９】
＜衛生洗浄装置の本体部＞
次に、図２、図３を参照して実施形態に係る衛生洗浄装置１０の本体部１１について説明する。図２は、衛生洗浄装置１０の本体部１１を前方から見た正面図である。図３は、図２のIII−III断面図である。
【００３０】
衛生洗浄装置１０の本体部１１には、ケースプレート２０と、ケースカバー２１とによって形成される空間に、ノズルユニット２２、温風ユニット（不図示）、脱臭ユニット２３、ヒンジユニット２４の一部、コントロールユニット２５などが収容される。
【００３１】
ケースプレート２０は、便器本体２（図１参照）の上面に取り付けられる。ケースプレート２０には、ノズルユニット２２や、温風ユニットや、脱臭ユニット２３や、コントロールユニット２５などが取り付けられる。
【００３２】
ケースカバー２１は、上方に向けて突出するように形成される。ケースカバー２１は、ケースプレート２０に取り付けられる。ケースカバー２１には、ヒンジユニット２４が取り付けられる。また、ケースカバー２１には、便座１２に設けられた便座ヒータ（不図示）のハーネス（不図示）が取り付けられる。なお、ケースカバー２１には、便座１２への使用者の着座を検知する着座センサ（不図示）などが設けられる。
【００３３】
ノズルユニット２２は、電動モータ（不図示）などの駆動源の駆動により、洗浄ノズル（不図示）をケースプレート２０に対して進退させて、使用者の局部に向けて洗浄水を吐出させて局部を洗浄する。なお、ノズルユニット２２は、ヒータ（不図示）によって加熱された洗浄水を吐出できる。温風ユニットは、ヒータ（不図示）によって加熱した空気を使用者の局部に向けて吹き出す。
【００３４】
脱臭ユニット２３は、例えば、トイレルーム１００（図１参照）内の空気を吸い込み、吸い込んだ空気に含まれる悪臭成分などを捕集し、分解する。そして、脱臭ユニット２３は、悪臭成分などを捕集し、分解した空気を吹き出す。
【００３５】
ヒンジユニット２４は、便座回動ユニット２４ａと、便蓋回動ユニット２４ｂとを備える。各回動ユニット２４ａ、２４ｂは、電動モータ（不図示）などの駆動源の駆動により、各回動軸（回動支持部）２４ｃ、２４ｄを回動させ、便座１２、または便蓋１３（図１参照）を回動させる。便蓋回動ユニット２４ｂは、例えば、コントロールユニット２５の基板カバー３２の上方に配置される。便座回動ユニット２４ａは、便蓋回動ユニット２４ｂよりも前方に配置される。
【００３６】
＜コントロールユニット＞
次に、図３〜図６を参照して、実施形態に係るコントロールユニット２５について説明する。図４は、コントロールユニット２５の斜視図である。図５は、コントロールユニット２５の正面図である。図６は、図５のVI−VI断面図である。なお、図４〜図６では、説明のため、構成の一部を省略している。また、図６では、説明のため、回路基板３１を省略している。
【００３７】
コントロールユニット２５は、ノズルユニット２２や、ヒンジユニット２４や、便座ヒータ（不図示）などを制御する。コントロールユニット２５は、ケースプレート２０の後端に設けられ、ケースプレート２０に対して直交するようにケースプレート２０に取り付けられる。コントロールユニット２５の前方には、脱臭ユニット２３が設けられる。
【００３８】
コントロールユニット２５は、基板ケース３０と、回路基板３１と、基板カバー３２とを備える。
【００３９】
基板ケース３０は、ケースプレート２０に対して直交するようにケースプレート２０に取り付けられる。基板ケース３０は、基底部３３と、上壁部（対向壁部）３４と、左側壁部３５と、下壁部（壁部）３６と、右側壁部３７とを備える。基底部３３は、ケースプレート２０に対して直交するように設けられ、回路基板３１が取り付けられる。
【００４０】
上壁部３４、左側壁部３５、下壁部３６、および右側壁部３７は、基底部３３の周縁から前方に向けて突出するように形成される。上壁部３４、左側壁部３５、下壁部３６、および右側壁部３７は、回路基板３１の周縁に沿って形成される。すなわち、上壁部３４、左側壁部３５、下壁部３６、および右側壁部３７は、回路基板３１を囲むように形成される。
【００４１】
上壁部３４には、基板カバー３２の係合部４１ｂが係合する係合爪３４ａが形成される。上壁部３４は、下壁部３６に対向し、上壁部３４の前方への突出量（以下、前方への突出量を「高さ」と称することがある。）は、下壁部３６の高さよりも低い。
【００４２】
下壁部３６は、基板カバー３２の下端側に形成される開口部４５に向けて突出する。具体的には、下壁部３６は、開口部４５を塞ぐように前方に向けて突出する。下壁部３６の高さは、回路基板３１に設けられた電子部品６１、例えば、抵抗や、コンデンサや、コネクタなどの高さよりも高い。下壁部３６の前端、および左右端は、基板カバー３２に当接する。
【００４３】
回路基板３１は、基板ケース３０の基底部３３に取り付けられる。すなわち、回路基板３１は、ケースプレート２０に対して直交するように配置される。
【００４４】
回路基板３１には、図示は省略するが、ＣＰＵ（Central  Processing  Unit）や、抵抗や、コンデンサなどが設けられ、各ユニットや、便座ヒータなどを制御するための回路が形成される。
【００４５】
回路基板３１には、高い電圧（例えば、１００Ｖ）がかかる１次側回路３１ａと、１次側回路３１ａよりも低い電圧（例えば、２４Ｖや、５Ｖ）がかかる２次側回路３１ｂとが形成される。
【００４６】
１次側回路３１ａには、例えば、ノズルユニット２２に供給される洗浄水を加熱するヒータ（不図示）や、便座ヒータ（不図示）に電力を供給するための回路や、ノズルユニット２２に供給される洗浄水を加熱するヒータ（不図示）や、便座ヒータなどのハーネス（不図示）が接続されるコネクタ（不図示）などが含まれる。なお、１次側回路３１ａは、防湿のためにポッティング材（不図示）で覆われている。
【００４７】
また、１次側回路３１ａは、発火が生じた場合の延焼防止のために、ポッティング材の上から基板カバー３２、および基板ケース３０によって覆われている。
【００４８】
２次側回路３１ｂには、例えば、ノズルユニット２２などの電動モータ（不図示）を駆動するための回路（不図示）や、着座センサ（不図示）などが接続されるコネクタ（不図示）などが含まれる。なお、２次側回路３１ｂは、１次側回路３１ａと同様に、防湿のためにポッティング材で覆われている。
【００４９】
このように、回路基板３１には、ポッティング材が含まれる。ポッティング材は、回路基板３１における高さが低い部品、たとえば、１次側回路３１ａ、および２次側回路３１ｂに含まれる高さが低い電子部品や、電子部品の金属リード部などを覆うように充填されている。
【００５０】
基板カバー３２は、延焼防止用のカバーであり、基板ケース３０に取り付けられる。基板カバー３２の取り付け方法については、後述する。
【００５１】
基板カバー３２は、基底部４０と、上壁部４１と、左側壁部４２と、右側壁部４３と、樋部４４とを備える。基板カバー３２は、下方端が開口している。すなわち、基板カバー３２には、下方端に開口部４５が形成される。開口部４５は、例えば、基板ケース３０の下壁部３６によって塞がれる。
【００５２】
基底部４０は、ケースプレート２０に対して直交するように設けられ、回路基板３１と向かい合う。基底部４０の前方側の面（表面）には、ハーネス（不図示）を保持するハーネス保持部４０ａ、４０ｂが形成される。また、基底部４０の後方側の面（裏面）には、ストッパー４０ｃが形成される。ストッパー４０ｃは、後方に向けて突出し、基板ケース３０の下壁部３６に当接する。
【００５３】
また、基底部４０は、ストッパー４０ｃよりも下方、具体的には基板ケース３０の下壁部３６よりも下方に突出する突出部４０ｄを備える。
【００５４】
上壁部４１、左側壁部４２、および右側壁部４３は、基底部４０の周縁から後方に向けて突出するように形成される。
【００５５】
上壁部４１には、上方に向けて突出する傾斜部４１ａが形成される。傾斜部４１ａは、便蓋回動ユニット２４ｂの下方に設けられる。具体的には、傾斜部４１ａは、便蓋回動ユニット２４ｂの回動軸２４ｄの下方に設けられる。傾斜部４１ａは、後方から前方となるにつれて下方に傾斜するように形成される。すなわち、傾斜部４１ａは、回路基板３１側の端から下方に向けて傾斜するように形成される。また、傾斜部４１ａの後端には、基板ケース３０の係合爪３４ａに係合する係合部４１ｂが形成される。
【００５６】
また、上壁部４１には、１次側回路３１ａのハーネス（不図示）が挿入される孔４１ｃが形成される。
【００５７】
樋部４４は、基板カバー３２の上壁部４１、および基板カバー３２の基底部４０に形成される。具体的には、樋部４４は、上壁部４１に形成される第１樋４４ａと、基底部４０に形成される第２樋４４ｂとによって形成される。
【００５８】
第１樋４４ａは、上壁部４１の傾斜部４１ａの周囲、具体的には、傾斜部４１ａの左側方、および傾斜部４１ａの前方に形成される。第２樋４４ｂは、基底部４０の前方側の面（表面）に形成される。第２樋４４ｂは、上下方向に延設され、突出部４０ｄの下端まで延設される。
【００５９】
第１樋４４ａと第２樋４４ｂとは、連続して形成される。第１樋４４ａと第２樋４４ｂとは、連通しており、第１樋４４ａに流入した液体、例えば、水は、第２樋４４ｂに流れ、突出部４０ｄの下端から下方に排出される。すなわち、樋部４４は、基板カバー３２に付着した液体、例えば、水を突出部４０ｄまで導き、突出部４０ｄの下端から下方に排出する。
【００６０】
コントロールユニット２５では、基板カバー３２の開口部４５が、基板ケース３０の下壁部３６に覆われ、例えば、塞がれている。そのため、コントロールユニット２５では、基板ケース３０、基板カバー３２、および回路基板３１によって閉空間６０が形成される。具体的には、閉空間は、基板ケース３０、基板カバー３２、および回路基板３１のポッティング材によって形成される。
【００６１】
閉空間６０には、回路基板３１、具体的には、１次側回路３１ａが収容される。閉空間６０は、１次側回路３１ａが発火した場合に、延焼を防止する程度に閉塞された空間である。なお、閉空間６０は、密閉された空間を含んでもよい。
【００６２】
＜組み立て手順＞
次に、コントロールユニット２５の組み立て手順について説明する。
【００６３】
まず、回路基板３１が取り付けられた基板ケース３０が、ケースプレート２０に取り付けられる。なお、回路基板３１の１次側回路３１ａ、および２次側回路３１ｂは、ポッティング材によって覆われており、１次側回路３１ａ、および２次側回路３１ｂには防湿処理が行われている。
【００６４】
具体的には、基板ケース３０は、ケースプレート２０に直交するようにケースプレート２０の後方端に取り付けられる。なお、ケースプレート２０では、基板ケース３０の前方に、脱臭ユニット２３が設けられる。すなわち、基板ケース３０、および脱臭ユニット２３は、前後方向に並んでケースプレート２０に設けられる。
【００６５】
次に、ケースカバー２１に配置され、１次側回路３１ａに電気的に接続されるハーネス(不図示)、例えば、便座ヒータ（不図示）のハーネス（不図示）が１次側回路３１ａに取り付けられる。
【００６６】
次に、基板カバー３２が基板ケース３０に取り付けられる。実施形態に係るコントロールユニット２５では、基板ケース３０の前方に脱臭ユニット２３が設けられている。そのため、基板カバー３２を前方から基板ケース３０に取り付けようとした場合には、脱臭ユニット２３が邪魔になり、基板カバー３２を基板ケース３０に取り付けることができない。
【００６７】
そこで、実施形態に係るコントロールユニット２５では、基板カバー３２が上方側、具体的には、斜め上方から回路基板３１と脱臭ユニット２３との間に挿入され、基板カバー３２が基板ケース３０に取り付ける。すなわち、コントロールユニット２５では、基板カバー３２の取付方向は、回路基板３１に垂直な方向に対して交差する方向であり、具体的には、斜め上方から斜め下方に向かう方向である。
【００６８】
コントロールユニット２５では、基板カバー３２の下方端に開口部４５が形成されている。すなわち、基板カバー３２には、取付方向の先端側に開口部４５が形成されている。そのため、取付方向に沿って斜め上方から基板カバー３２を回路基板３１と脱臭ユニット２３との間に挿入し、基板カバー３２を基板ケース３０に取り付けることができる。
【００６９】
なお、基板ケース３０の下壁部３６は、基板カバー３２の開口部４５を塞ぐように突出している。そのため、基板ケース３０、基板カバー３２、および回路基板３１によって閉空間６０が形成される。従って、１次側回路３１ａの電子部品６１などが発火した場合でも、閉空間６０に空気が流入することを抑制し、延焼を防止することができる。すなわち、基板カバー３２は、１次側回路３１ａが発火した場合に、延焼を防止する延焼防止カバーとして機能する。
【００７０】
＜液体浸入防止＞
コントロールユニット２５では、基板カバー３２に傾斜部４１ａ、および樋部４４が形成される。これにより、コントロールユニット２５は、液体、例えば、水が、便蓋回動ユニット２４ｂの回動軸２４ｄから浸入した場合に、水が閉空間６０内に浸入することを抑制する。
【００７１】
コントロールユニット２５は、便蓋回動ユニット２４ｂの回動軸２４ｄの下方に傾斜部４１ａを設けている。そのため、例えば、便蓋回動ユニット２４ｂの回動軸２４ｄから水が浸入し、便蓋回動ユニット２４ｂの回動軸２４ｄの下方に落下した場合には、基板カバー３２は、傾斜部４１ａに沿って下方に水を流す。
【００７２】
傾斜部４１ａに沿って下方に流れた水は、傾斜部４１ａから第１樋４４ａに流入する。そして、第１樋４４ａに導かれた水は、第１樋４４ａから第２樋４４ｂに流入する。
【００７３】
第２樋４４ｂは、基板ケース３０の下壁部３６よりも下方に突出する突出部４０ｄの下端まで形成されている。そのため、第２樋４４ｂに流入した水は、突出部４０ｄの下端から下方に向けて排出される。このように、傾斜部４１ａ、および樋部４４は、水が、閉空間６０に浸入することを抑制することができる。
【００７４】
＜効果＞
本実施形態を用いない比較例に係る衛生洗浄装置は、コントロールユニットの前方には、他のユニット、例えば、脱臭ユニットなどを設けずに、コントロールユニットと他のユニットとを上下方向に並んで配置している。これにより、比較例に係る衛生洗浄装置は、基板カバーを前方から基板ケースに取り付け可能とし、基板ケースへの基板カバーの取り付けを容易にしている。
【００７５】
しかし、比較例に係る衛生洗浄装置は、上下方向の高さが高くなり、デザイン性の観点から改善の余地がある。
【００７６】
これに対し、実施形態に係る衛生洗浄装置１０は、基板カバー３２の取付方向の先端側に開口部４５が形成される。これにより、衛生洗浄装置１０は、コントロールユニット２５と、他のユニット、例えば、脱臭ユニット２３とを前後方向に並べて配置し、脱臭ユニット２３と回路基板３１との間に基板カバー３２を取付方向に沿って容易に挿入することができる。そのため、衛生洗浄装置１０は、基板カバー３２を基板ケース３０に容易に取り付けることができる。従って、衛生洗浄装置１０は、上下方向における高さを低くすることができ、デザイン性を向上させることができる。
【００７７】
また、衛生洗浄装置１０は、基板ケース３０の下壁部３６によって開口部４５を塞ぐことができ、基板カバー３２、基板ケース３０、および回路基板３１によって閉空間６０を形成することができる。これにより、衛生洗浄装置１０は、回路基板３１、具体的には、１次側回路３１ａが発火した場合に、延焼を防止することができる。
【００７８】
すなわち、衛生洗浄装置１０は、延焼防止機能を保持しつつ、デザイン性を向上し、かつ基板カバー３２の取り付けを容易にすることができる。
【００７９】
また、衛生洗浄装置１０は、基板ケース３０に、下壁部３６に対向し、下壁部３６よりも高さが低い上壁部３４を設ける。これにより、衛生洗浄装置１０は、基板カバー３２を取付方向に沿って容易に取り付けることができる。
【００８０】
また、衛生洗浄装置１０は、基板ケース３０の下壁部３６の高さを１次側回路３１ａに設けられる電子部品６１の高さよりも高くする。これにより、衛生洗浄装置１０は、開口部４５と下壁部３６との隙間を小さくし、閉空間６０に空気が流入することを抑制することができる。そのため、衛生洗浄装置１０は、回路基板３１、具体的には、１次側回路３１ａが発火した場合に、延焼を防止することができる。
【００８１】
また、衛生洗浄装置１０は、基板ケース３０よりも下方に突出する突出部４０ｄを基板カバー３２に設ける。これにより、衛生洗浄装置１０は、液体、例えば、水が基板カバー３２に付着した場合に、水を基板ケース３０よりも下方に導き、突出部４０ｄから排出することができ、水が閉空間６０に浸入することを抑制することができる。
【００８２】
また、衛生洗浄装置１０は、基板カバー３２に付着した液体、例えば、水を突出部４０ｄまで導く樋部４４を備える。これにより、衛生洗浄装置１０は、液体、例えば、水が基板カバー３２に付着した場合に、樋部４４を介して水を突出部４０ｄから排出することができ、水が閉空間６０に浸入することを抑制することができる。
【００８３】
また、衛生洗浄装置１０は、基板カバー３２の上壁部４１に傾斜部４１ａを設ける。これにより、衛生洗浄装置１０は、上壁部４１に付着した液体、例えば、水を基板カバー３２の基底部４０側、すなわち、回路基板３１とは反対側に流すことができる。そのため、衛生洗浄装置１０は、水が閉空間６０に浸入することを抑制することができる。
【００８４】
また、衛生洗浄装置１０は、傾斜部４１ａをヒンジユニット２４、例えば、便蓋回動ユニット２４ｂの回動軸２４ｄの下方に設ける。これにより、衛生洗浄装置１０は、便蓋回動ユニット２４ｂの回動軸２４ｄから液体、例えば、水が浸入し、水が滴下した場合に、水が閉空間６０に浸入することを抑制することができる。
【００８５】
＜変形例＞
変形例に係る衛生洗浄装置１０は、樋部４４を、基板カバー３２の左側壁部４２、基底部４０、および右側壁部４３に形成してもよい。例えば、変形例に係る衛生洗浄装置１０は、第１樋４４ａを左側壁部４２、および基底部４０に連続して形成し、また、第１樋４４ａを右側壁部４３、および基底部４０に連続して形成し、第１樋４４ａを、第２樋４４ｂに連通させる。これにより、変形例に係る衛生洗浄装置１０は、基板カバー３２の左側壁部４２、および右側壁部４３に付着した液体、例えば、水を、樋部４４を介して突出部４０ｄから排出することができる。変形例に係る衛生洗浄装置１０は、例えば、ケースカバー２１内で結露した水を、樋部４４を介して突出部４０ｄから排出することができる。そのため、変形例に係る衛生洗浄装置１０は、水が閉空間６０に浸入することを抑制することができる。
【００８６】
変形例に係る衛生洗浄装置１０は、第２樋４４ｂが形成される箇所以外の基板カバー３２に突出部４０ｄを設けてもよい。変形例に係る衛生洗浄装置１０は、例えば、基板カバー３２の下方側の全体に突出部４０ｄを設けてもよい。これにより、変形例に係る衛生洗浄装置１０は、例えば、ケースカバー２１内で結露した水を、樋部４４を介して突出部４０ｄから排出することができる。そのため、変形例に係る衛生洗浄装置１０は、水が閉空間６０に浸入することを抑制することができる。
【００８７】
変形例に係る衛生洗浄装置１０は、基板カバー３２を斜め上方ではなく、例えば、右側方側から挿入してもよい。この場合、基板カバー３２は、取付方向の先端側となる左側方端に開口部４５が形成される。また、基板カバー３２は、開口部４５を複数箇所、例えば、下方端と左側方端に設けてもよい。
【００８８】
変形例に係る衛生洗浄装置１０は、便座回動ユニット２４ａの下方にコントロールユニット２５が設けられている場合には、便座回動ユニット２４ａの下方に傾斜部４１ａを設ける。これにより、変形例に係る衛生洗浄装置１０は、便座回動ユニット２４ａの回動軸２４ｃから液体、例えば、水が浸入した場合に、水が閉空間６０に浸入することを抑制することができる。すなわち、衛生洗浄装置１０は、便座回動ユニット２４ａ、便蓋回動ユニット２４ｂの少なくとも一方の下方に傾斜部４１ａを設ければよい。
【００８９】
変形例に係る衛生洗浄装置１０は、基板カバー３２によって２次側回路３１ｂを覆ってもよい。すなわち、変形例に係る衛生洗浄装置１０は、閉空間６０に２次側回路３１ｂを収容してもよい。
【００９０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９１】
１      トイレ装置
２      便器本体
１０    衛生洗浄装置
１１    本体部
２０    ケースプレート
２１    ケースカバー
２３    脱臭ユニット
２５    コントロールユニット
２４    ヒンジユニット
２４ａ  便座回動ユニット
２４ｂ  便蓋回動ユニット
２４ｃ  回動軸（回動支持部）
２４ｄ  回動軸（回動支持部）
３０    基板ケース
３１    回路基板
３１ａ  １次側回路
３１ｂ  ２次側回路
３２    基板カバー
３４    上壁部（対向壁部）
３６    下壁部（壁部）
４０ｄ  突出部
４１    上壁部
４１ａ  傾斜部
４４    樋部
４５    開口部
６０    閉空間
６１    電子部品
【図１】
2020033849.tif 000003
【図２】
2020033849.tif 000004
【図３】
2020033849.tif 000005
【図４】
2020033849.tif 000006
【図５】
2020033849.tif 000007
【図６】
2020033849.tif 000008